(57)【要約】【課題】画像読取装置および画像形成装置において、部品点数の増加なく、電源ノイズの影響を除去し、画像ムラの発生を防止する。【解決手段】原稿の画像読取領域を示す画像読取領域信号の有効期間に、前記原稿から画像を光学的に読み取り、光電変換することにより前記原稿の画像信号を取得し、前記画像信号を記憶手段に記憶するようにした画像読取装置１００において、前記画像読取領域信号の有効期間中、前記記憶手段に対する信号の入出力動作を禁止する制御手段を備える。【選択図】        図２
2005039382.tif 000002
【特許請求の範囲】
【請求項１】
原稿の画像読取領域を示す画像読取領域信号の有効期間に、前記原稿から画像を光学的に読み取り、光電変換することにより前記原稿の画像信号を取得し、前記画像信号を記憶手段に記憶するようにした画像読取装置において、
前記画像読取領域信号の有効期間中、前記記憶手段に対する信号の入出力動作を禁止する制御手段と、
を備えたことを特徴とする画像読取装置。
【請求項２】
請求項１に記載の画像読取装置において、
前記画像読取領域信号は、前記原稿の副走査方向の画像読取領域を示す副走査方向画像読取領域信号であることを特徴とする画像読取装置。
【請求項３】
請求項１に記載の画像読取装置において、
前記画像読取領域信号は、前記原稿の主走査方向の画像読取領域を示す主走査方向画像読取領域信号であることを特徴とする画像読取装置。
【請求項４】
請求項１〜３のいずれか一項に記載の画像読取装置において、
前記記録手段に対する前記信号の入出力時に、前記画像信号を圧縮・伸長する圧縮・伸長手段を備えたことを特徴とする画像読取装置。
【請求項５】
請求項１〜４のいずれか一項に記載の画像読取装置において、
前記記憶手段は、ハードディスクであることを特徴とする画像読取装置。
【請求項６】
請求項５に記載の画像読取装置において、
前記制御手段は、入力された画像読取要求に応じて、一定期間、前記記憶手段の自動動作機能を停止させることを特徴とする画像読取装置。
【請求項７】
請求項１〜６のいずれか一項に記載の画像読取装置において、
前記画像読取領域信号の有効期間に取得された画像信号を一時的に格納する他の記憶手段を備え、
前記制御手段は、前記画像読取領域信号の無効期間に前記記憶手段と前記他の記憶手段との間で前記画像信号の入出力動作を行うように制御することを特徴とする画像読取装置。
【請求項８】
出力媒体の画像形成領域を示す画像形成領域信号の有効期間に、記憶手段に記憶された画像信号に基づき前記出力媒体に画像を形成する画像形成装置において、
前記画像形成領域信号の有効期間中、前記記憶手段に対する信号の入出力動作を禁止する制御手段と、
を備えたことを特徴とする画像形成装置。
【請求項９】
請求項８に記載の画像形成装置において、
前記画像形成領域信号は、前記出力媒体の副走査方向の画像形成領域を示す副走査方向画像形成領域信号であることを特徴とする画像形成装置。
【請求項１０】
請求項８に記載の画像形成装置において、
前記画像形成領域信号は、前記出力媒体の主走査方向の画像形成領域を示す主走査方向画像形成領域信号であることを特徴とする画像形成装置。
【請求項１１】
請求項８〜１０のいずれか一項に記載の画像形成装置において、
前記記録手段に対する前記信号の入出力時に、前記画像信号を圧縮・伸長する圧縮・伸長手段を備えたことを特徴とする画像形成装置。
【請求項１２】
請求項８〜１１のいずれか一項に記載の画像形成装置において、
前記記憶手段は、ハードディスクであることを特徴とする画像形成装置。
【請求項１３】
請求項１２に記載の画像形成装置において、
前記制御手段は、入力された画像形成要求に応じて、一定期間、前記記憶手段の自動動作機能を停止させることを特徴とする画像形成装置。
【請求項１４】
請求項８〜１３のいずれか一項に記載の画像形成装置において、
前記出力媒体に画像を形成する際に用いる画像信号を一時的に格納する他の記憶手段を備え、
前記制御手段は、前記画像読取領域信号の無効期間に前記記憶手段と前記他の記憶手段との間で前記画像信号の入出力動作を行うように制御することを特徴とする画像形成装置。
【請求項１５】
原稿の画像読取領域を示す画像読取領域信号の有効期間に、前記原稿から画像を光学的に読み取り、光電変換することにより前記原稿の画像信号を取得し、前記画像信号を記憶手段に記憶し、出力媒体の画像形成領域を示す画像形成領域信号の有効期間に、前記画像信号に基づき前記出力媒体に画像を形成する画像形成装置において、
前記画像読取領域信号の有効期間中または前記画像形成領域信号の有効期間中、前記記憶手段に対する信号の入出力動作を禁止する制御手段
を備えたことを特徴とする画像形成装置。
【請求項１６】
請求項１５に記載の画像形成装置において、
前記画像読取領域信号は、前記原稿の副走査方向の画像読取領域を示す副走査方向画像読取領域信号であることを特徴とする画像形成装置。
【請求項１７】
請求項１５に記載の画像形成装置において、
前記画像読取領域信号は、前記原稿の主走査方向の画像読取領域を示す主走査方向画像読取領域信号であることを特徴とする画像形成装置。
【請求項１８】
請求項１５〜１７のいずれか一項に記載の画像形成装置において、
前記画像形成領域信号は、前記原稿の副走査方向の画像形成領域を示す副走査方向画像形成領域信号であることを特徴とする画像形成装置。
【請求項１９】
請求項１５〜１７のいずれか一項に記載の画像形成装置において、
前記画像形成領域信号は、前記原稿の主走査方向の画像形成領域を示す主走査方向画像形成領域信号であることを特徴とする画像形成装置。
【請求項２０】
請求項１５〜１９のいずれか一項に記載の画像形成装置において、
前記記録手段に対する前記信号の入出力時に、前記画像信号を圧縮・伸長する圧縮・伸長手段を備えたことを特徴とする画像形成装置。
【請求項２１】
請求項１５〜２０のいずれか一項に記載の画像形成装置において、
前記記憶手段は、ハードディスクであることを特徴とする画像形成装置。
【請求項２２】
請求項２１に記載の画像形成装置において、
前記制御手段は、入力された画像読取要求に応じて、一定期間、前記記憶手段の自動動作機能を停止させることを特徴とする画像形成装置。
【請求項２３】
請求項２１または２２に記載の画像形成装置において、
前記制御手段は、入力された画像形成要求に応じて、一定期間、前記記憶手段の自動動作機能を停止させることを特徴とする画像形成装置。
【請求項２４】
請求項１５〜２３のいずれか一項に記載の画像形成装置において、
前記画像読取領域信号の有効期間に取得された画像信号を一時的に格納する他の記憶手段を備え、
前記制御手段は、前記画像読取領域信号の無効期間に前記記憶手段と前記他の記憶手段との間で前記画像信号の入出力動作を行うように制御することを特徴とする画像形成装置。
【請求項２５】
請求項１５〜２４のいずれか一項に記載の画像形成装置において、
前記出力媒体に画像を形成する際に用いる画像信号を一時的に格納する他の記憶手段を備え、
前記制御手段は、前記画像形成領域信号の無効期間に前記記憶手段と前記他の記憶手段との間で前記画像信号の入出力動作を行うように制御することを特徴とする画像形成装置。
【発明の詳細な説明】
【０００１】
【発明の属する技術分野】
本発明は、画像読取装置、画像形成装置および複写機に関する。
【０００２】
【従来の技術】
従来から、スキャナ等の画像読取装置、プリンタ、複写機等の画像形成装置、これらの装置を複合した複合機等、画像信号を画像読取領域または画像形成領域に対して１ライン毎に分割して取得又は出力する装置が知られている。
【０００３】
例えば、画像読取装置では、ＣＣＤを受光面に直線状に配列した一次元イメージセンサを用い、原稿の主走査方向に沿って画像読取領域から１ラインずつ画像信号を取得し、これを積層することにより原稿の画像全体の画像信号を合成する。一方、画像形成装置では、例えば、電子写真方式による場合、画像信号に基づき、感光ドラムをレーザビーム等で１ライン毎に露光走査して画像形成領域に対し静電潜像を形成し、それを現像して記録紙等に転写、定着させることにより、画像を形成する。
【０００４】
これらの装置の中には、取得した画像信号や出力する画像信号等を記憶する大容量のハードディスクドライブ（以下、「ＨＤＤ」という。）を備えたものがある（例えば、特許文献１および２参照）。ＨＤＤは主として汎用のものが使用される。汎用のＨＤＤの中には、自己の障害予知、自動回復およびパフォーマンスの最適化等のための自動診断機能等の自動動作機能を備えたものがあり、他からＨＤＤに対する読み書き等のアクセスが所定時間行われないと、自動的に動作するものがある。
【０００５】
【特許文献１】
特開２００２−３１１７６０号公報
【特許文献２】
特開２０００−９０５５３号公報
【０００６】
【発明が解決しようとする課題】
しかしながら、ＨＤＤに対する画像信号等の入出力や自動動作機能によりＨＤＤが動作状態にあるときに、画像読取動作または画像形成動作が行われると、ＨＤＤの動作に伴い電源ノイズ発生し、画像読取動作、画像形成動作が不安的になる場合があった。すなわち、画像読取装置、画像形成装置は、それぞれ、主走査方向に沿って１ライン毎に画像読取動作、画像形成動作を行うが、電源ノイズによりライン毎に取得又は出力する画像信号の強弱が変化すると、取得又は出力する画像に「ピッチムラ」とよばれる縞状の画像ムラが発生する場合があった。
【０００７】
これを解決するために、画像読取装置、画像形成装置装置の電源系統とＨＤＤの電源系統とをレギュレータやＤＣ−ＤＣコンバータなどで分離する、あるいはノイズフィルタやコンデンサ等を多数搭載することによりノイズを除去する等の手法も考えられるが、これらの手法では部品点数の増加、コスト高につながる他、完全に電源ノイズを除去できないという問題があった。
【０００８】
本発明の課題は、部品点数の増加なく、電源ノイズの影響を除去し、画像ムラの発生を防止することができる画像読取装置および画像形成装置を提供することである。
【０００９】
【課題を解決するための手段】
上記課題を解決するために、請求項１に記載の発明は、原稿の画像読取領域を示す画像読取領域信号の有効期間に、前記原稿から画像を光学的に読み取り、光電変換することにより前記原稿の画像信号を取得し、前記画像信号を記憶手段に記憶するようにした画像読取装置において、前記画像読取領域信号の有効期間中、前記記憶手段に対する信号の入出力動作を禁止する制御手段と、を備えたことを特徴とする。
【００１０】
請求項１に記載の発明によれば、制御手段により、画像読取領域信号の有効期間中、すなわち原稿から画像を読み取る際に記憶手段に対する信号の入出力動作が禁止されるので、部品点数を増加することなく、記憶手段の動作に伴う電源ノイズの発生を防止し、画像ムラを防止することができる。
【００１１】
請求項２に記載の発明は、請求項１に記載の画像読取装置において、前記画像読取領域信号は、前記原稿の副走査方向の画像読取領域を示す副走査方向画像読取領域信号であることを特徴とする。
【００１２】
請求項２に記載の発明によれば、制御手段により、副走査方向画像読取領域信号の有効期間中、記憶手段に対する信号の入出力動作が禁止されるので、１枚の原稿から画像を読み取る間、記憶手段の動作に伴う電源ノイズの発生を防止し、画像ムラを防止することができる。したがって、複数枚の原稿を読み取る際に、１枚の原稿から画像を読み取った後、次の原稿の画像読取動作が開始されるまでの間に記憶手段に対する信号の入出力動作を行わせることができる。
【００１３】
請求項３に記載の発明は、請求項１に記載の画像読取装置において、前記画像読取領域信号は、前記原稿の主走査方向の画像読取領域を示す主走査方向画像読取領域信号であることを特徴とする。
【００１４】
請求項３に記載の発明によれば、制御手段により、主走査方向画像読取領域信号の有効期間中、記憶手段に対する信号の入出力動作が禁止されるので、原稿の主走査方向１ライン分の画像を読み取る間、記憶手段の動作に伴う電源ノイズの発生を防止し、画像ムラの発生を防止することができる。したがって、画像読取速度が遅い場合、１ライン分の画像読取動作を行った後、次の１ライン分の画像読取動作が開始されるまでの間に記憶手段に対する信号の入出力動作を行わせることができる。
【００１５】
請求項４に記載の発明は、請求項１〜３のいずれか一項に記載の画像読取装置において、前記記録手段に対する前記信号の入出力時に、前記画像信号を圧縮・伸長する圧縮・伸長手段を備えたことを特徴とする。
【００１６】
請求項４に記載の発明によれば、画像信号を圧縮・伸長して記憶手段に入出力することができる。
【００１７】
請求項５に記載の発明は、請求項１〜４のいずれか一項に記載の画像読取装置において、前記記憶手段は、ハードディスクであることを特徴とする。
【００１８】
請求項５に記載の発明によれば、ＨＤＤの動作に伴う電源ノイズの発生を防止し、画像ムラの発生を防止することができる。
【００１９】
請求項６に記載の発明は、請求項５に記載の画像読取装置において、前記制御手段は、入力された画像読取要求に応じて、一定期間、前記記憶手段の自動動作機能を停止させることを特徴とする。
【００２０】
請求項６に記載の発明によれば、画像読取要求に応じて、ＨＤＤの自動動作機能を一定期間停止させるので、画像読取動作時にＨＤＤが自動動作機能を起動させて動作するのを防ぎ、これにより電源ノイズの発生を防止し、画像ムラを防止することができる。
【００２１】
請求項７に記載の発明は、請求項１〜６のいずれか一項に記載の画像読取装置において、前記画像読取領域信号の有効期間に取得された画像信号を一時的に格納する他の記憶手段を備え、前記制御手段は、前記画像読取領域信号の無効期間に前記記憶手段と前記他の記憶手段との間で前記画像信号の入出力動作を行うように制御することを特徴とする。
【００２２】
請求項７に記載の発明によれば、他の記憶手段に前記画像読取領域信号の有効期間中に順次取得される画像信号を一時的に格納させることができ、画像読取領域信号の有効期間中記憶手段に画像信号を書き込む必要がなく、電源ノイズ発生を抑止し、画像ムラを防止することができる。
【００２３】
請求項８に記載の発明は、出力媒体の画像形成領域を示す画像形成領域信号の有効期間に、記憶手段に記憶された画像信号に基づき前記出力媒体に画像を形成する画像形成装置において、前記画像形成領域信号の有効期間中、前記記憶手段に対する信号の入出力動作を禁止する制御手段と、を備えたことを特徴とする。
【００２４】
請求項８に記載の発明によれば、制御手段により、画像形成領域信号の有効期間中、すなわち出力媒体に画像を形成する間、記憶手段に対する信号の入出力動作が禁止されるので、部品点数を増加することなく、記憶手段の動作に伴う電源ノイズの発生を防止し、画像ムラを防止することができる。
【００２５】
請求項９に記載の発明は、請求項８に記載の画像形成装置において、前記画像形成領域信号は、前記出力媒体の副走査方向の画像形成領域を示す副走査方向画像形成領域信号であることを特徴とする。
【００２６】
請求項９に記載の発明によれば、制御手段により、副走査方向画像形成領域信号の有効期間中、記憶手段に対する信号の入出力動作が禁止されるので、出力媒体に一の画像を形成する間、記憶手段の動作に伴う電源ノイズの発生を防止し、画像ムラを防止することができる。したがって、複数の画像を形成する際に、一の画像を形成した後、次の画像形成動作が開始されるまでの間に記憶手段に対する信号の入出力動作を行わせることができる。
【００２７】
請求項１０に記載の発明は、請求項８に記載の画像形成装置において、前記画像形成領域信号は、前記出力媒体の主走査方向の画像形成領域を示す主走査方向画像形成領域信号であることを特徴とする。
【００２８】
請求項１０に記載の発明によれば、制御手段により、主走査方向画像形成領域信号の有効期間中、記憶手段に対する信号の入出力動作が禁止されるので、画像を主走査方向１ライン分だけ形成する間、記憶手段の動作に伴う電源ノイズの発生を防止し、画像ムラの発生を防止することができる。したがって、画像形成速度が遅い場合、１ライン分の画像形成動作を行った後、次の１ライン分の画像形成動作が開始されるまでの間に記憶手段に対する信号の入出力動作を行わせることができる。
【００２９】
請求項１１に記載の発明は、請求項８〜１０のいずれか一項に記載の画像形成装置において、前記記録手段に対する前記信号の入出力時に、前記画像信号を圧縮・伸長する圧縮・伸長手段を備えたことを特徴とする。
【００３０】
請求項１１に記載の発明によれば、画像信号を圧縮・伸長して記憶手段に入出力することができる。
【００３１】
請求項１２に記載の発明は、請求項８〜１１のいずれか一項に記載の画像形成装置において、前記記憶手段は、ハードディスクであることを特徴とする。
【００３２】
請求項１２に記載の発明によれば、ＨＤＤの動作に伴う電源ノイズの発生を防止し、画像ムラの発生を防止することができる。
【００３３】
請求項１３に記載の発明は、請求項１２に記載の画像形成装置において、前記制御手段は、入力された画像形成要求に応じて、一定期間、前記記憶手段の自動動作機能を停止させることを特徴とする。
【００３４】
請求項１３に記載の発明によれば、画像形成要求に応じて、ＨＤＤの自動動作機能を一定期間停止させるので、画像読取動作時にＨＤＤが自動動作機能を起動させて動作するのを防ぎ、これにより電源ノイズの発生を防止し、画像ムラを防止することができる。
【００３５】
請求項１４に記載の発明は、請求項８〜１３のいずれか一項に記載の画像形成装置において、前記出力媒体に画像を形成する際に用いる画像信号を一時的に格納する他の記憶手段を備え、前記制御手段は、前記画像読取領域信号の無効期間に前記記憶手段と前記他の記憶手段との間で前記画像信号の入出力動作を行うように制御することを特徴とする。
【００３６】
請求項１４に記載の発明によれば、他の記憶手段に前記出力媒体に画像を形成する際に用いる画像信号を一時的に格納させることができるので、画像形成領域信号の有効期間中記憶手段から画像信号を読み出す必要がなく、電源ノイズ発生を抑止し、画像ムラを防止することができる。
【００３７】
請求項１５に記載の発明は、原稿の画像読取領域を示す画像読取領域信号の有効期間に、前記原稿から画像を光学的に読み取り、光電変換することにより前記原稿の画像信号を取得し、前記画像信号を記憶手段に記憶し、出力媒体の画像形成領域を示す画像形成領域信号の有効期間に、前記画像信号に基づき前記出力媒体に画像を形成する画像形成装置において、前記画像読取領域信号の有効期間中または前記画像形成領域信号の有効期間中、前記記憶手段に対する信号の入出力動作を禁止する制御手段を備えたことを特徴とする。
【００３８】
請求項１５に記載の発明によれば、制御手段により、画像読取領域信号または画像形成領域信号の有効期間中、すなわち原稿から画像を読み取る間または出力媒体に画像を形成する間、記憶手段に対する信号の入出力動作が禁止されるので、部品点数を増加することなく、記憶手段の動作に伴う電源ノイズの発生を防止し、画像ムラを防止することができる。
【００３９】
請求項１６に記載の発明は、請求項１５に記載の画像形成装置において、前記画像読取領域信号は、前記原稿の副走査方向の画像読取領域を示す副走査方向画像読取領域信号であることを特徴とする。
【００４０】
請求項１６に記載の発明によれば、制御手段により、副走査方向画像読取領域信号の有効期間中、記憶手段に対する信号の入出力動作が禁止されるので、１枚の原稿から画像を読み取る間、記憶手段の動作に伴う電源ノイズの発生を防止し、画像ムラを防止することができる。したがって、複数枚の原稿を読み取る際に、１枚の原稿から画像を読み取った後、次の原稿の画像読取動作が開始されるまでの間に記憶手段に対する信号の入出力動作を行わせることができる。
【００４１】
請求項１７に記載の発明は、請求項１５に記載の画像形成装置において、前記画像読取領域信号は、前記原稿の主走査方向の画像読取領域を示す主走査方向画像読取領域信号であることを特徴とする。
【００４２】
請求項１７に記載の発明によれば、制御手段により、主走査方向画像読取領域信号の有効期間中、記憶手段に対する信号の入出力動作が禁止されるので、原稿の主走査方向１ライン分の画像を読み取る間、記憶手段の動作に伴う電源ノイズの発生を防止し、画像ムラの発生を防止することができる。したがって、画像読取速度が遅い場合、１ライン分の画像読取動作を行った後、次の１ライン分の画像読取動作が開始されるまでの間に記憶手段に対する信号の入出力動作を行わせることができる。
【００４３】
請求項１８に記載の発明は、請求項１５〜１７のいずれか一項に記載の画像形成装置において、前記画像形成領域信号は、前記原稿の副走査方向の画像形成領域を示す副走査方向画像形成領域信号であることを特徴とする。
【００４４】
請求項１８に記載の発明によれば、制御手段により、副走査方向画像形成領域信号の有効期間中、記憶手段に対する信号の入出力動作が禁止されるので、出力媒体に一の画像を形成する間、記憶手段の動作に伴う電源ノイズの発生を防止し、画像ムラを防止することができる。したがって、複数の画像を形成する際に、一の画像を形成した後、次の画像形成動作が開始されるまでの間に記憶手段に対する信号の入出力動作を行わせることができる。
【００４５】
請求項１９に記載の発明は、請求項１５〜１７のいずれか一項に記載の画像形成装置において、前記画像形成領域信号は、前記原稿の主走査方向の画像形成領域を示す主走査方向画像形成領域信号であることを特徴とする。
【００４６】
請求項１９に記載の発明によれば、制御手段により、主走査方向画像形成領域信号の有効期間中、記憶手段に対する信号の入出力動作が禁止されるので、画像を主走査方向１ライン分だけ形成する間、記憶手段の動作に伴う電源ノイズの発生を防止し、画像ムラの発生を防止することができる。したがって、画像形成速度が遅い場合、１ライン分の画像形成動作を行った後、次の１ライン分の画像形成動作が開始されるまでの間に記憶手段に対する信号の入出力動作を行わせることができる。
【００４７】
請求項２０に記載の発明は、請求項１５〜１９のいずれか一項に記載の画像形成装置において、前記記録手段に対する前記信号の入出力時に、前記画像信号を圧縮・伸長する圧縮・伸長手段を備えたことを特徴とする。
【００４８】
請求項２０に記載の発明によれば、画像信号を圧縮・伸長して記憶手段に入出力することができる。
【００４９】
請求項２１に記載の発明は、請求項１５〜２０のいずれか一項に記載の画像形成装置において、前記記憶手段は、ハードディスクであることを特徴とする。
【００５０】
請求項２１に記載の発明によれば、ＨＤＤの動作に伴う電源ノイズの発生を防止し、画像ムラの発生を防止することができる。
【００５１】
請求項２２に記載の発明は、請求項２１に記載の画像形成装置において、前記制御手段は、入力された画像読取要求に応じて、一定期間、前記記憶手段の自動動作機能を停止させることを特徴とする。
【００５２】
請求項２２に記載の発明によれば、画像読取要求に応じて、ＨＤＤの自動動作機能を一定期間停止させるので、画像読取動作時にＨＤＤが自動動作機能を起動させて動作するのを防ぎ、これにより電源ノイズの発生を防止し、画像ムラを防止することができる。
【００５３】
請求項２３に記載の発明は、請求項２１または２２に記載の画像形成装置において、前記制御手段は、入力された画像形成要求に応じて、一定期間、前記記憶手段の自動動作機能を停止させることを特徴とする。
【００５４】
請求項２３に記載の発明によれば、画像形成要求に応じて、ＨＤＤの自動動作機能を一定期間停止させるので、画像形成動作時にＨＤＤが自動動作機能を起動させて動作するのを防ぎ、これにより電源ノイズの発生を防止し、画像ムラを防止することができる。
【００５５】
請求項２４に記載の発明は、請求項１５〜２３のいずれか一項に記載の画像形成装置において、前記画像読取領域信号の有効期間に取得された画像信号を一時的に格納する他の記憶手段を備え、前記制御手段は、前記画像読取領域信号の無効期間に前記記憶手段と前記他の記憶手段との間で前記画像信号の入出力動作を行うように制御することを特徴とする。
【００５６】
請求項２４に記載の発明によれば、他の記憶手段に前記画像読取領域信号の有効期間中に順次取得される画像信号を一時的に格納させることができ、画像読取領域信号の有効期間中記憶手段に画像信号を書き込む必要がなく、電源ノイズ発生を抑止し、画像ムラを防止することができる。
【００５７】
請求項２５に記載の発明は、請求項１５〜２４のいずれか一項に記載の画像形成装置において、前記出力媒体に画像を形成する際に用いる画像信号を一時的に格納する他の記憶手段を備え、前記制御手段は、前記画像形成領域信号の無効期間に前記記憶手段と前記他の記憶手段との間で前記画像信号の入出力動作を行うように制御することを特徴とする。
【００５８】
請求項２５に記載の発明によれば、他の記憶手段に前記出力媒体に画像を形成する際に用いる画像信号を一時的に格納させることができるので、画像形成領域信号の有効期間中記憶手段から画像信号を読み出す必要がなく、電源ノイズ発生を抑止し、画像ムラを防止することができる。
【００５９】
【発明の実施の形態】
以下、図面を参照して本発明の第１〜第３の実施の形態を詳細に説明する。
【００６０】
〔第１の実施の形態〕
図１〜図４を参照して、第１の実施の形態の画像読取装置１００を説明する。
本実施の形態の画像読取装置１００は、例えば、スキャナ、複写機等であり、原稿を光学的に読み取って光電変換することにより原稿の画像信号を取得する装置である。
【００６１】
図１に示すように、画像読取装置１００は、原稿給紙部１、画像読取部（画像読取装置）２、ＨＤＤ（図示略）、制御部（図示略）を備えている。
【００６２】
原稿給紙部１はいわゆるオートフィーダであり、原稿載置台１１に載置された原稿を１枚ずつ画像読取部２に供給する。
【００６３】
画像読取部２は、コンタクトガラス２１の下部に、光源２２、反射機構２３、レンズ２４、ＣＣＤ２５、光源２２および反射機構２３を保持して副走査方向に移動させるスキャナヘッド２６等を備え、コンタクトガラス２１に載置された原稿から画像を光学的に読み取り、光電変換を行うことにより画像信号を取得する。取得した画像信号は、ＨＤＤに記憶される。
【００６４】
スキャナヘッド２６には、図示しない原稿検知センサが設けられる。原稿検知センサは、スキャナヘッド２６の移動とともに移動してコンタクトガラス２１上の原稿の端部を検知して検知信号を出力する。制御部はこの検知信号に基づき画像読取領域信号を生成する。画像読取領域信号は、原稿から画像を読み取る際の有効幅（長さ）、即ち画像読取領域を示す信号で、画像読取領域信号の有効期間に画像読取部２により画像読取動作が行われる。
【００６５】
ここで、画像読取領域信号の有効期間とは、図２〜図４に示す場合、画像読取領域信号の信号値が“Ｈ”レベルの期間を指す。なお、無効期間は“Ｌ”レベルの期間をいう。また、画像読取領域信号には、原稿の主走査方向の画像読取領域を示す主走査方向画像読取領域信号（Ｓｃａｎｎｅｒ  Ｈｏｒｉｚｏｎｔａｌ  Ｖａｌｉｄ；ＳＨＶ）と、原稿の副走査方向の画像読取領域を示す副走査方向画像読取領域信号（Ｓｃａｎｎｅｒ  Ｖｅｒｔｉｃａｌ  Ｖａｌｉｄ；ＳＶＶ）がある。主走査方向画像読取領域信号は、１ライン分の画像読取動作を行う毎に出力される（図４参照）。
【００６６】
画像読取部２は、ユーザから操作部（図示略）等を介して入力される画像読取要求に応じてスキャナヘッドを副走査方向に移動させ、プレスキャン動作およびスキャン動作を行う。プレスキャン動作は画像の種類（画像の濃度；淡い原稿か、濃い原稿か）を判別するために行われる動作であり、スキャン動作は現実に原稿から画像を読み取る動作である。
【００６７】
画像読取部２は、通常モードと高速モードの２種類の画像読取モードにより画像を原稿から読み取る。通常モードでは、プレスキャン動作を行って画像の種類等を判別した後、スキャン動作を行う。高速モードでは、プレスキャン動作とスキャン動作をほぼ同時に行う。例えば、原稿給紙部１から原稿が画像読取部２に供給された場合、高速モードによる画像読取動作が行われる。
【００６８】
記憶手段としてのＨＤＤは、磁性体を塗った金属の円盤にデータを読み書きする記録装置であり、画像信号、制御プログラム等を記憶する。ＨＤＤは、汎用のものを使用することができる。汎用のＨＤＤを使用した場合、ＨＤＤによっては、自己の障害予知、自動回復およびパフォーマンスの最適化等のための自動診断機能等の自動動作機能を有するものがあり、ＣＰＵ等により所定時間アクセスが行われないと自動的に動作する場合がある。
【００６９】
制御部は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、ＣＰＵにおいて、ＲＡＭの所定領域を作業領域としてＲＯＭ又はＨＤＤに記憶されている各種制御プログラムに従い、コンピュータ制御により上記各部に制御信号を送って画像読取装置の動作全般を集中制御する。
【００７０】
次に、この制御部により実行されるＨＤＤの制御動作について、通常モード時、高速モード時、および画像読取速度が遅い場合に分けて説明する。
【００７１】
まず、図２に基づき、通常モード時における制御動作について説明する。
図２（１）に示すように、操作部等を介して画像読取要求信号が入力されると、副走査方向画像判別信号（ＥＶＶ）が出力され、この有効期間中プレスキャン動作が行われる（（２）参照）。
【００７２】
一方、画像読取要求信号の入力に応じて制御部はＨＤＤにダミーアクセスを行い（（４）参照）、ＨＤＤの自動動作機能を一定期間停止させる。
【００７３】
ダミーアクセスは、例えば、ＡＴＡ（ＡＴ  ａｔｔａｃｈｍｅｎｔ）、ＳＣＳＩ（Ｓｍａｌｌ  Ｃｏｍｐｕｔｅｒ  Ｓｙｓｔｅｍ  Ｉｎｔｅｒｆａｃｅ）等のＨＤＤのインターフェース規格に沿ったコマンドをＨＤＤに入力することにより行われる。入力されるコマンドは、ＨＤＤにおいて自動動作機能が起動するのを防ぐために行うもので、コマンドの内容に特に意味があるものではない。また、画像読取要求信号が入力されたときに自動動作機能によりＨＤＤが動作状態にあっても、ダミーのコマンドを入力することによりＨＤＤの動作を停止させることができる。
【００７４】
ＨＤＤの自動動作機能が停止された後、次に、副走査方向画像形成領域信号が出力され（（３）参照）、この副走査方向画像形成領域信号の有効期間中、スキャン動作が行われて原稿から画像が読み取られる。なお、本実施の形態の画像読取装置１００は、例えば、デジタル回路により構成されるメモリが設けられており、スキャン動作により順次取得される画像信号は当該メモリに一時的に格納される（高速モード時、画像読取速度が遅い場合においても同様である）。
【００７５】
一方、制御部は画像形成領域信号の有効期間をＨＤＤアクセス禁止期間とし（５）参照）、ＨＤＤに対する信号の入出力動作を禁止するように制御する。そして、副走査方向画像形成領域信号の立ち下がりをトリガとして、ＨＤＤに対するアクセスを許可し、メモリに一時的に格納された画像信号をＨＤＤに書き込むことが可能になる。
【００７６】
この様に、通常モード時、副走査方向画像読取領域信号の有効期間をＨＤＤアクセス禁止期間とし、ＨＤＤに対する信号の入出力動作を禁止するので、１枚の原稿から画像を読み取る間中、ＨＤＤの動作に伴う電源ノイズの発生を防止し、画像ムラの発生を防止することができる。また、複数枚の原稿を読み取る際に、１枚の原稿から画像を読み取った後、次の原稿の画像読取動作が開始されるまでの間にＨＤＤに画像信号等を読み書きすることができる。
【００７７】
次に、高速モード時における制御動作を図３を参照して説明する。
図３（１）〜（３）に示すように、画像読取要求信号が入力されると、これに応じて、副走査方向画像判別信号および副走査方向画像領域信号が出力され、それぞれの有効期間にプレスキャン動作およびスキャン動作が行われる。
【００７８】
一方、制御部は、画像読取要求信号の入力に応じて、（４）に示すように、通常モード時と同様にＨＤＤにダミーアクセスを行い、ＨＤＤの自動動作機能を一定期間停止させる。
【００７９】
そして、制御部は副走査方向画像読取領域信号の有効期間をＨＤＤアクセス禁止期間とし、ＨＤＤに対する信号の入出力動作を禁止する。以上の動作は、画像読取要求信号が入力される毎に行われる
【００８０】
通常モード時と同様に、副走査方向画像読取領域信号の有効期間をＨＤＤアクセス禁止期間とするので、１枚の原稿から画像を読み取る間中、ＨＤＤの動作に伴う電源ノイズの発生を防止し、画像ムラの発生を防止することができる。また、複数枚の原稿を読み取る際に、１枚の原稿から画像を読み取った後、次の原稿の画像読取動作が開始されるまでの間にＨＤＤに画像信号等を読み書きすることができる。
【００８１】
次に、画像読取速度が遅い場合の制御動作を図４を参照して説明する。
図４（１）、（２）に示すように、画像読取要求信号の入力に応じて、副走査方向画像読取領域信号が出力される。副走査方向画像読取領域信号の有効期間中、主走査方向の画像読取動作を制御するための、主走査同期信号が一定間隔毎に出力される（（３）参照）。そして、（４）に示すように、主走査同期信号に応じて、主走査方向画像読取領域信号が出力される。この主走査方向画像読取領域信号の有効期間に、画像読取部２により原稿から画像が１ライン毎読み取られる。
【００８２】
一方、（５）に示すように、画像読取要求信号の入力に応じて、上記と同様にＨＤＤにダミーアクセスが行われる。これにより、ＨＤＤの自動動作機能を一定期間停止させた後、（６）に示すように、主走査方向画像読取領域信号の有効期間をＨＤＤアクセス禁止期間とし、ＨＤＤに対する信号の入出力動作を禁止する。
【００８３】
この様に、画像読取速度が遅い場合は、主走査方向画像読取領域信号の有効期間をＨＤＤアクセス禁止期間とし、原稿の主走査方向１ライン分の画像を読み取る間、ＨＤＤの動作に伴う電源ノイズの発生を防止し、画像ムラの発生を防止することができる。これにより、１ライン分の画像読取動作を行った後、次の１ライン分の画像読取動作が開始されるまでの間にＨＤＤに画像信号等の読み書きを行うことができる。
【００８４】
第１の実施の形態によれば、副走査方向画像読取領域信号または主走査方向画像読取領域信号の有効期間におけるＨＤＤに対するアクセスを禁止するので、部品点数を増加することなく、ＨＤＤの動作に伴う電源ノイズの発生を防止し、画像ムラを防止することができる。
【００８５】
また、ＨＤＤが自動動作機能を有する場合でも、画像読取要求信号に応じて、ＨＤＤにダミーアクセスを行うことによりその起動を一定期間停止させるので、ＨＤＤが自動的に動作して電源ノイズを発生するのを防止し、画像ムラを防止することができる。
【００８６】
〔第２の実施の形態〕
次に、図１、図５、図６を参照して第２の実施の形態の画像形成装置２００を説明する。
【００８７】
本実施の形態の画像形成装置２００は、例えば、プリンタ、複写機等であり、ＨＤＤ等に記憶された画像信号に基づき出力媒体に画像を形成する装置である。
【００８８】
図１に示すように、画像形成装置２００は、画像形成部３、給紙部４、搬送部５、ＨＤＤ（図示略）、制御部（図示略）を備えている。第１の実施の形態において説明した画像読取部２を備えてもよく、画像読取部２において取得した画像信号に基づいて画像を形成させてもよい。
【００８９】
画像形成部３は、回転可能に設けられた出力媒体としての感光ドラム３１の周囲に、露光部３２、現像部３３、定着部３４を備える。露光部３２は、ＬＤ（Ｌａｓｅｒ    Ｄｉｏｄｅ）等からなる光源を備え、ＬＤ制御回路によりＬＤを駆動制御し、いわゆる電子写真方式により記録材に画像を形成する。
【００９０】
具体的には、ＬＤから発せられるレーザビームにより感光ドラム３１を回転させながら１ライン毎に走査して画像信号に基づく静電潜像を形成し、現像部３３によりトナー等の現像材を感光ドラム３１に吸着させ、これを紙等の記録材に転写し、定着部３４において現像材を熱定着させる。
【００９１】
画像形成部３は、制御部から出力される画像形成領域信号の有効期間に、感光ドラム３１をＬＤにより露光走査して画像を形成する画像形成動作を行う。画像形成領域信号は感光ドラム３１上に画像を形成する有効幅（長さ）を示し、出力する画像のサイズ、記録材のサイズ等に応じて設定される。
【００９２】
ここで、画像形成領域信号の有効期間とは、図５、図６に示す場合、画像形成領域信号の信号値が“Ｈ”レベルの期間を指す。なお、無効期間は画像形成領域信号の信号値が“Ｌ”レベルの期間を指す。また、画像形成領域信号には、出力媒体の主走査方向の画像形成領域を示す主走査方向画像形成領域信号（Ｐｒｉｎｔｅｒ  Ｈｏｒｉｚｏｎｔａｌ  Ｖａｌｉｄ；ＰＨＶ）（図５、図６参照）と、出力媒体の副走査方向の画像形成領域を示す副走査方向画像形成領域信号（Ｐｒｉｎｔｅｒ  Ｖｅｒｔｉｃａｌ  Ｖａｌｉｄ；ＰＶＶ）（図６参照）がある。主走査方向画像形成領域信号は、１ライン分の画像形成動作を行う毎に、出力される。
【００９３】
給紙部４は、出力媒体としての記録紙等を収容する給紙トレイ４０を複数備え、各給紙トレイ４０に収容される記録紙等を搬送部５を介して画像形成部３に供給する。
【００９４】
搬送部５は、給紙部４から画像形成部３、排出トレイ２００ａへと繋ぐように設けられた搬送経路５ａを有し、給紙部４から供給される記録紙等を搬送経路５ａに沿って、画像形成部３、排出トレイ２００ａの順に搬送する。
【００９５】
記憶手段としてのＨＤＤは、第１の実施の形態のＨＤＤと略同一の構成であり、その説明を省略する。
【００９６】
制御部は、第１の実施の形態の制御部と同様に、ＣＰＵ、ＲＡＭ、ＲＯＭ等を備え、コンピュータ制御により画像形成装置の動作全般を集中制御する。
【００９７】
次に、図５、６を参照して、制御部において実行されるＨＤＤの制御動作について通常時と、画像形成速度が遅い場合とに分けて説明する。
【００９８】
まず、図５に基づき、通常時における制御動作について説明する。
図５に示すように、操作部等を介して画像形成要求信号が入力されると（（１）参照）、これに応じて副走査方向画像形成領域信号が出力され（（２）参照）、この間、画像形成部３により画像形成動作が行われる。
【００９９】
一方、制御部は画像形成要求信号の入力に応じて、（３）に示すように、ＨＤＤにダミーアクセスを行う。なお、ダミーアクセスは、第１の実施の形態と同様に、ＨＤＤの自動動作機能を一定期間停止させるために行われる。
【０１００】
ＨＤＤの自動動作機能が停止した後、（４）に示すように、副走査方向画像形成領域信号の有効期間中、ＨＤＤアクセス禁止期間とし、この間、ＨＤＤに対する信号の入出力動作を禁止する。そして、副走査方向画像形成領域信号の立ち下がりをトリガとして、ＨＤＤに対するアクセスを許可する。なお、本実施の形態の画像形成装置１００は、例えば、デジタル回路により構成されるメモリが設けられており、画像形成動作を行う際に用いられる画像信号はＨＤＤアクセス禁止期間外に当該メモリに一時的に格納される。副走査方向画像形成領域信号の有効期間中は当該メモリから読み出した画像信号に基づき画像形成動作が行われる（画像形成速度が遅い場合においても同様である）。
【０１０１】
この様に、副走査方向画像形成領域信号の有効期間中のＨＤＤに対する信号の入出力動作を禁止するので、出力媒体に画像を形成する間、ＨＤＤの動作に伴う電源ノイズの発生を防止し、画像ムラの発生を防止することができる。また、複数の画像を形成する際に、一の画像を形成した後、次の画像を形成するまでの間にＨＤＤに信号の入出力を行うことができる。
【０１０２】
次に、画像形成速度が遅い場合の制御動作を図６を参照して説明する。
図６（１）、（２）に示すように画像形成要求信号の入力に応じて、副走査方向画像形成領域信号が出力される。副走査方向画像形成領域信号の有効期間中、主走査方向の画像形成動作を制御するための、主走査同期信号が一定間隔毎に出力される（（３）参照）。そして、（４）に示すように、主走査同期信号に応じて、主走査方向画像形成領域信号が出力され、この主走査方向画像領域信号の有効期間に、画像形成部３により１ライン毎の画像形成動作が行われる。
【０１０３】
一方、（５）に示すように、画像形成要求信号の入力に応じて、上記と同様にＨＤＤにダミーアクセスが行われる。これにより、ＨＤＤの自動動作機能を一定期間停止させた後、（６）に示すように、主走査方向画像読取領域信号の有効期間をＨＤＤアクセス禁止期間とし、ＨＤＤに対する信号の入出力動作を禁止する。
【０１０４】
この様に、画像形成速度が遅い場合は、主走査方向画像形成領域信号の有効期間をＨＤＤアクセス禁止期間とし、主走査方向１ライン分の画像を形成する間、ＨＤＤの動作に伴う電源ノイズの発生を防止し、画像ムラの発生を防止することができる。これにより、１ライン分の画像形成動作を行った後、次の１ライン分の画像形成動作が開始されるまでの間にＨＤＤに信号の入出力を行うことができる。
【０１０５】
第２の実施の形態によれば、画像形成領域信号の有効期間中、すなわち画像形成時にはＨＤＤに対する信号の入出力動作を行わないように制御されるので、部品点数を増加することなく、記憶手段の動作に伴う電源ノイズの発生を防止し、画像ムラを防止することができる。
【０１０６】
また、ＨＤＤが自動動作機能を有する場合でも、画像形成要求信号に応じて、ＨＤＤにダミーアクセスすることによりその起動を一定期間停止させるので、ＨＤＤが自動的に動作して電源ノイズを発生するのを防止し、画像ムラを防止することができる。
【０１０７】
〔第３の実施の形態〕
次に、図１、図７、図８を参照して第３の実施の形態の画像形成装置３００を説明する。なお、上記実施の形態と略同一の構成については、同様の符号を付してその説明を省略する。
【０１０８】
第３の実施の形態の画像形成装置３００は、例えば、複写機あるいは、複写機能、スキャナ機能、プリンタ機能等を有する複合機であり、図１に示すように、原稿給紙部１、画像読取部２、画像形成部３、給紙部４、搬送部５、ＨＤＤ部６（図７参照）、制御部７（図７参照）を備える。
【０１０９】
次に、画像形成装置３００のシステム構成を説明する。
図７に示すように、画像形成装置３００は、第１電源系統（図示略）から電源が供給される第１回路３００ａと、第２電源系統（図示略）から電源が供給される第２回路３００ｂとを有している。
【０１１０】
第１回路３００ａは画像形成装置３００において実行される画像読取動作に係る回路であり、画像読取部２、画像処理部８、制御部７、ＨＤＤ部６が設けられている。
【０１１１】
画像読取部２は、ＣＣＤ２５等の他、ＣＣＤ２５において取得した画像信号をデジタル信号に変換するＡ／Ｄ変換回路２７を有する。
【０１１２】
画像処理部８は、シェーディング補正回路８１、輝度・濃度変換空間フィルタ回路８２、傾き補正／誤差拡散部８３、γ補正／周波数変換部８４を有する。
【０１１３】
制御部７は、ＣＰＵ７１、ＲＡＭ７２、ＲＯＭ（図示略）、メモリ制御回路７３、圧縮・伸長回路７４を有する。
【０１１４】
制御部７は、ＣＰＵ７１において、ＲＡＭ７２の所定領域を作業領域としてＲＯＭ、メモリ９またはＨＤＤ部６等に記憶されている各種制御プログラムに従い、コンピュータ制御により各部に制御信号を送って画像形成装置３００の動作全般を制御する。また、制御部７は、画像形成装置３００において画像読取動作実行時、または画像形成動作実行時にＨＤＤ部６の動作を後述する方法により制御する。
【０１１５】
圧縮・伸長回路７４は、画像信号をメモリ９又はＨＤＤ部６に格納する際に、圧縮又は伸長するための回路である。
【０１１６】
記憶手段としてのＨＤＤ部６は、画像信号、各種制御プログラム等を格納するもので、ＨＤＤＩ／Ｆ６１、第１のＨＤＤ６２、第２のＨＤＤ６３を有する。ＨＤＤＩ／Ｆ６１は、システムバスを介して制御部７と第１のＨＤＤ６２または第２のＨＤＤ６３との間で信号の授受を行うインターフェースである。第１のＨＤＤ６２、第２のＨＤＤ６３の構成は上記第１の実施の形態および第２の実施の形態のＨＤＤと略同一である。
【０１１７】
第１回路３００ａにおける画像信号の流れを点線の矢印で示す。図２に示すように、ＣＣＤ２５により取得された画像信号は、Ａ／Ｄ変換回路２７によりデジタル信号に変換され、シェーディング補正回路８１、輝度・濃度変換空間フィルタ回路８２、傾き補正／誤差拡散部８３において、それぞれシェーディング補正処理、輝度・濃度変換、傾き補正／誤差拡散が行われた後、メモリ制御回路７３、圧縮・伸長回路７４を介して、第２回路３００ｂに搭載されるメモリ９に一時的に格納され、その後、ＨＤＤＩ／Ｆ６１を介して第１のＨＤＤ６２または第２のＨＤＤ６３に格納される。
【０１１８】
次に、第２回路３００ｂを説明する。第２回路３００ｂは画像形成装置３００において実行される画像形成動作に係る回路であり、上述のメモリ９、画像形成部３を有する。
【０１１９】
画像形成部３は、上述のＬＤ制御回路３２ａ等の他、ＰＷＭ変換部３５を有する。
【０１２０】
メモリ９は、例えば、デジタル回路からなり、画像読取部２による画像形成動作時に取得した画像信号を一時的に格納し、画像形成部３により出力媒体に画像を形成する際に用いる画像信号をＨＤＤ部６から取得して一時的に格納しておく他の記憶手段である。
【０１２１】
次に、第２回路３００ｂにおける画像信号の流れを説明する。
第１回路３００ａにおいて、第１のＨＤＤ６２または第２のＨＤＤ６３に格納された画像信号は、γ補正／周波数変換部８４においてγ補正／周波数変換が行われた後、ＰＷＭ変換部３５においてＰＷＭ変換され、ＬＤ制御回路３２ａに出力される。ＬＤ制御回路３２ａでは、入力された画像信号に基づいて、ＬＤにより感光ドラム３１を露光走査し、画像形成動作を行わせる。
【０１２２】
第１回路３００ａおよび第２回路３００ｂはそれぞれ独立して動作させることができる。すなわち、画像形成装置３００は画像読取部２により原稿から画像を読み取るスキャナ動作を単独で行うことができ、且つ、画像形成部３により感光ドラム３１に静電潜像を形成し（図１参照）、記録材に画像を転写するプリンタ動作を単独で行うこともできる。
【０１２３】
次に、図８を参照して、制御部７におけるＨＤＤ部６の制御動作を説明する。
図８（１）、（２）に示すように、画像読取要求信号が入力されると、これに応じて副走査方向画像読取領域信号が出力される。これに応じて、副走査方向画像読取領域信号の有効期間に画像読取部２により原稿から画像が読み取られる。
【０１２４】
一方、制御部は画像読取要求信号の入力に応じて、（５）に示すように、ＨＤＤ部６にダミーアクセスを行い、ＨＤＤ部６の自動動作機能を一定期間停止させる。なお、ダミーアクセスの方法は第１の実施の形態と同一の方法で行うことができる。
【０１２５】
そして、（６）に示すように、副走査方向画像読取領域信号の有効期間をＨＤＤアクセス禁止期間とし、ＨＤＤ部６に対する信号の入出力動作を禁止する。副走査方向画像読取領域信号の立ち下がりをトリガとして、ＨＤＤに対するアクセスを許可し、この副走査画像読取領域信号の無効期間にメモリ９に一時的に格納された画像信号をＨＤＤ部６に書き込むことが可能になる。
【０１２６】
画像読取動作が終了すると、次に、画像形成要求信号の入力（（３）参照）に応じて、副走査方向画像形成領域信号が出力され（（４）参照）、副走査方向画像形成領域信号の有効期間に画像形成部３により画像形成動作が行われる。
【０１２７】
第３の実施の形態によれば、画像読取部２とＨＤＤ部６の電源系統が同じ場合であっても、制御部７により、画像読取時にはＨＤＤ部６に対する信号の入出力動作を行わないように制御されるので、部品点数を増加することなく、ＨＤＤ部６の動作に伴う電源ノイズの発生を防止し、画像ムラを防止することができる。
【０１２８】
また、副走査方向画像読取領域信号の有効期間中のＨＤＤ部６に対するアクセスを禁止するので、１枚の原稿から画像を読み取る間中、ＨＤＤ部６の動作に伴う電源ノイズの発生を防止し、画像ムラの発生を防止することができる。また、複数枚の原稿を読み取る際に、１枚の原稿から画像を読み取った後、次の原稿の画像読取動作が開始されるまでの間にＨＤＤ部６に画像信号等の入出力動作を行うことができる。
【０１２９】
なお、本実施の形態では、ＨＤＤ部６が動作状態にあっても画像形成部３とＨＤＤ部６の電源系統は異なるので、ＨＤＤ部６の電源ノイズの影響を受けることがなく、画像形成動作中にもＨＤＤ部６に画像信号等の入出力動作を行うことができる。
【０１３０】
なお、本発明は上記実施の形態に限定されるものではなく、本発明の趣旨を逸脱しない範囲内において適宜変更可能であるのは勿論である。
【０１３１】
例えば、上記実施の形態において、副走査方向画像読取領域信号の有効期間をＨＤＤアクセス禁止期間とし、ＨＤＤ部６に対する信号の入出力動作を禁止するものとしたがこれに限定されるものではない。例えば、画像読取動作が遅い場合は、第１の実施の形態と同様に、主走査方向画像読取領域信号の有効期間中のＨＤＤ部６に対する信号の入出力動作を禁止するようにしてもよい。
【０１３２】
主走査方向画像読取領域信号の有効期間をＨＤＤアクセス禁止期間とし、ＨＤＤ部６に対する信号の入出力動作を禁止することにより、原稿の主走査方向１ライン分の画像を読み取る間、ＨＤＤ部６の動作に伴う電源ノイズの発生を防止し、画像ムラの発生を防止することができる。また、画像読取速度が遅い場合であっても、１ライン分の画像読取動作を行った後、次の１ライン分の画像読取動作が開始されるまでの間にＨＤＤ部６に画像信号等の読み書きを行うことができる。
【０１３３】
また、上記実施の形態において、画像読取部２とＨＤＤ部６の電源系統が同じであるとして、説明したがこれに限定されるものではない。
【０１３４】
例えば、画像形成部３とＨＤＤ部６の電源系統が同じであって、画像読取部２とＨＤＤ部６の電源系統が異なる場合は、第２の実施の形態と同様に、画像形成領域信号（主走査方向画像領域信号又は副走査方向画像領域信号）の有効期間をＨＤＤアクセス禁止期間とし、ＨＤＤ部６に対する信号の入出力動作を禁止するようにしてもよい。この場合、ＨＤＤアクセス禁止期間外に画像形成時に用いる画像信号を読み出してメモリ９に格納しておき、画像形成領域信号の有効期間中はメモリ９から読み出した画像信号に基づき画像形成を行うようにすればよい。
【０１３５】
さらに、画像読取部２と、画像形成部３と、ＨＤＤ部６との電源系統が同じ場合、画像読取領域信号（主走査方向画像読取領域信号または副走査方向画像読取領域信号）および画像形成領域信号（主走査方向画像形成領域信号または副走査方向画像領域信号）双方の有効期間をそれぞれＨＤＤアクセス禁止期間とし、ＨＤＤ部６に対する信号の入出力動作を禁止するようにすればよい。それにより、画像読取動作時および画像形成動作時の双方において、ＨＤＤ部６の動作に伴う電源ノイズの影響を防止し、画像ムラの発生を防止することができる。
【０１３６】
【発明の効果】
請求項１に記載の発明によれば、原稿から画像を読み取る際に記憶手段に対する信号の入出力動作が禁止されるので、部品点数を増加することなく、記憶手段の動作に伴う電源ノイズの発生を防止し、画像ムラを防止することができる。
【０１３７】
請求項２に記載の発明によれば、１枚の原稿から画像を読み取る間、記憶手段に対する信号の入出力動作が禁止されるので、記憶手段の動作に伴う電源ノイズの発生を防止し、画像ムラを防止することができる。したがって、複数枚の原稿を読み取る際に、１枚の原稿から画像を読み取った後、次の原稿の画像読取動作が開始されるまでの間に記憶手段に対する信号の入出力動作を行わせることができる。
【０１３８】
請求項３に記載の発明によれば、原稿の主走査方向１ライン分の画像を読み取る間、記憶手段に対する信号の入出力動作が禁止されるので、記憶手段の動作に伴う電源ノイズの発生を防止し、画像ムラの発生を防止することができる。したがって、画像読取速度が遅い場合、１ライン分の画像読取動作を行った後、次の１ライン分の画像読取動作が開始されるまでの間に記憶手段に対する信号の入出力動作を行わせることができる。
【０１３９】
請求項４に記載の発明によれば、画像信号を圧縮・伸長して記憶手段に入出力することができる。
【０１４０】
請求項５に記載の発明によれば、ＨＤＤの動作に伴う電源ノイズの発生を防止し、画像ムラの発生を防止することができる。
【０１４１】
請求項６に記載の発明によれば、画像読取動作時にＨＤＤが自動動作機能を起動させて動作するのを防ぎ、これにより電源ノイズの発生を防止し、画像ムラを防止することができる。
【０１４２】
請求項７に記載の発明によれば、他の記憶手段に前記画像読取領域信号の有効期間中に順次取得される画像信号を一時的に格納させることができ、画像読取領域信号の有効期間中記憶手段に画像信号を書き込む必要がなく、電源ノイズ発生を抑止し、画像ムラを防止することができる。
【０１４３】
請求項８に記載の発明によれば、制御手段により、画像形成領域信号の有効期間中、すなわち出力媒体に画像を形成する間、記憶手段に対する信号の入出力動作が禁止されるので、部品点数を増加することなく、記憶手段の動作に伴う電源ノイズの発生を防止し、画像ムラを防止することができる。
【０１４４】
請求項９に記載の発明によれば、制御手段により、副走査方向画像形成領域信号の有効期間中、記憶手段に対する信号の入出力動作が禁止されるので、出力媒体に一の画像を形成する間、記憶手段の動作に伴う電源ノイズの発生を防止し、画像ムラを防止することができる。したがって、複数の画像を形成する際に、一の画像を形成した後、次の画像形成動作が開始されるまでの間に記憶手段に対する信号の入出力動作を行わせることができる。
【０１４５】
請求項１０に記載の発明によれば、制御手段により、主走査方向画像形成領域信号の有効期間中、記憶手段に対する信号の入出力動作が禁止されるので、画像を主走査方向１ライン分だけ形成する間、記憶手段の動作に伴う電源ノイズの発生を防止し、画像ムラの発生を防止することができる。したがって、画像形成速度が遅い場合、１ライン分の画像形成動作を行った後、次の１ライン分の画像形成動作が開始されるまでの間に記憶手段に対する信号の入出力動作を行わせることができる。
【０１４６】
請求項１１に記載の発明によれば、画像信号を圧縮・伸長して記憶手段に入出力することができる。
【０１４７】
請求項１２に記載の発明によれば、ＨＤＤの動作に伴う電源ノイズの発生を防止し、画像ムラの発生を防止することができる。
【０１４８】
請求項１３に記載の発明によれば、画像形成要求に応じて、ＨＤＤの自動動作機能を一定期間停止させるので、画像読取動作時にＨＤＤが自動動作機能を起動させて動作するのを防ぎ、これにより電源ノイズの発生を防止し、画像ムラを防止することができる。
【０１４９】
請求項１４に記載の発明によれば、他の記憶手段に前記出力媒体に画像を形成する際に用いる画像信号を一時的に格納させることができるので、画像形成領域信号の有効期間中記憶手段から画像信号を読み出す必要がなく、電源ノイズ発生を抑止し、画像ムラを防止することができる。
【０１５０】
請求項１５に記載の発明によれば、制御手段により、画像読取領域信号または画像形成領域信号の有効期間中、すなわち原稿から画像を読み取る間または出力媒体に画像を形成する間、記憶手段に対する信号の入出力動作が禁止されるので、部品点数を増加することなく、記憶手段の動作に伴う電源ノイズの発生を防止し、画像ムラを防止することができる。
【０１５１】
請求項１６に記載の発明によれば、制御手段により、副走査方向画像読取領域信号の有効期間中、記憶手段に対する信号の入出力動作が禁止されるので、１枚の原稿から画像を読み取る間、記憶手段の動作に伴う電源ノイズの発生を防止し、画像ムラを防止することができる。したがって、複数枚の原稿を読み取る際に、１枚の原稿から画像を読み取った後、次の原稿の画像読取動作が開始されるまでの間に記憶手段に対する信号の入出力動作を行わせることができる。
【０１５２】
請求項１７に記載の発明によれば、制御手段により、主走査方向画像読取領域信号の有効期間中、記憶手段に対する信号の入出力動作が禁止されるので、原稿の主走査方向１ライン分の画像を読み取る間、記憶手段の動作に伴う電源ノイズの発生を防止し、画像ムラの発生を防止することができる。したがって、画像読取速度が遅い場合、１ライン分の画像読取動作を行った後、次の１ライン分の画像読取動作が開始されるまでの間に記憶手段に対する信号の入出力動作を行わせることができる。
【０１５３】
請求項１８に記載の発明によれば、制御手段により、副走査方向画像形成領域信号の有効期間中、記憶手段に対する信号の入出力動作が禁止されるので、出力媒体に一の画像を形成する間、記憶手段の動作に伴う電源ノイズの発生を防止し、画像ムラを防止することができる。したがって、複数の画像を形成する際に、一の画像を形成した後、次の画像形成動作が開始されるまでの間に記憶手段に対する信号の入出力動作を行わせることができる。
【０１５４】
請求項１９に記載の発明によれば、制御手段により、主走査方向画像形成領域信号の有効期間中、記憶手段に対する信号の入出力動作が禁止されるので、画像を主走査方向１ライン分だけ形成する間、記憶手段の動作に伴う電源ノイズの発生を防止し、画像ムラの発生を防止することができる。したがって、画像形成速度が遅い場合、１ライン分の画像形成動作を行った後、次の１ライン分の画像形成動作が開始されるまでの間に記憶手段に対する信号の入出力動作を行わせることができる。
【０１５５】
請求項２０に記載の発明によれば、画像信号を圧縮・伸長して記憶手段に入出力することができる。
【０１５６】
請求項２１に記載の発明によれば、ＨＤＤの動作に伴う電源ノイズの発生を防止し、画像ムラの発生を防止することができる。
【０１５７】
請求項２２に記載の発明によれば、画像読取要求に応じて、ＨＤＤの自動動作機能を一定期間停止させるので、画像読取動作時にＨＤＤが自動動作機能を起動させて動作するのを防ぎ、これにより電源ノイズの発生を防止し、画像ムラを防止することができる。
【０１５８】
請求項２３に記載の発明によれば、画像形成要求に応じて、ＨＤＤの自動動作機能を一定期間停止させるので、画像形成動作時にＨＤＤが自動動作機能を起動させて動作するのを防ぎ、これにより電源ノイズの発生を防止し、画像ムラを防止することができる。
【０１５９】
請求項２４に記載の発明によれば、他の記憶手段に前記画像読取領域信号の有効期間中に順次取得される画像信号を一時的に格納させることができ、画像読取領域信号の有効期間中記憶手段に画像信号を書き込む必要がなく、電源ノイズ発生を抑止し、画像ムラを防止することができる。
【０１６０】
請求項２５に記載の発明によれば、他の記憶手段に前記出力媒体に画像を形成する際に用いる画像信号を一時的に格納させることができるので、画像形成領域信号の有効期間中記憶手段から画像信号を読み出す必要がなく、電源ノイズ発生を抑止し、画像ムラを防止することができる。
【図面の簡単な説明】
【図１】本発明を適用した画像読取装置１００、画像形成装置２００、３００の一例を示す側断面図である。
【図２】第１の実施の形態における動作を説明するための波形図である。
【図３】第１の実施の形態における動作を説明するための波形図である。
【図４】第１の実施の形態における動作を説明するための波形図である。
【図５】第２の実施の形態における動作を説明するための波形図である。
【図６】第２の実施の形態における動作を説明するための波形図である。
【図７】本発明を適用した画像形成装置３００のシステム構成を示すブロック図である。
【図８】第３の実施の形態の動作を説明するための波形図である。
【符号の説明】
１    原稿給紙部
２    画像読取部
３    画像形成部
４    給紙部
５    搬送部
６    ＨＤＤ部（記憶手段）
６２，６３  ＨＤＤ
７    制御部
７１  ＣＰＵ
７４  圧縮・伸長回路
１００  画像読取装置
２００  画像形成装置
３００  画像形成装置
【図１】
2005039382.tif 000003
【図２】
2005039382.tif 000004
【図３】
2005039382.tif 000005
【図４】
2005039382.tif 000006
【図５】
2005039382.tif 000007
【図６】
2005039382.tif 000008
【図７】
2005039382.tif 000009
【図８】
2005039382.tif 000010